(57)【特許請求の範囲】
【請求項１】
回転自在に軸支された胴部の外周面に軸心方向に延びる切刃が形成された回転刃と、上記回転刃の切刃との間に挿入された被せん断物をせん断する固定刃とを備え、上記回転刃の軸心と固定刃が相対的に傾斜角をもって配設され、上記固定刃の刃先が曲線状に形成されることにより、上記回転刃の切刃と固定刃との長手方向におけるクリアランスを実質的に一定にし、長尺のペレット材料をせん断してペレットを製造するペレット製造機に用いられるものであることを特徴とするせん断装置。
【請求項２】
上記回転刃の切刃が、胴部の軸心と実質的に平行に設けられている請求項１記載のせん断装置。
【請求項３】
上記回転刃の切刃が、胴部の略全長にわたって設けられている請求項１または２記載のせん断装置。
【発明の詳細な説明】
【０００１】
【発明の属する技術分野】
本発明は、例えば、長尺のペレット材料等をせん断してペレットを製造する際等に用いられるせん断装置に関するものである。
【０００２】
【従来の技術】
樹脂等のペレットを製造するペレット製造機は、一般に、図７に示すように、ペレット材料を長尺の紐状に押し出す押し出し装置３０と、押し出されたペレット材料３３を冷却する冷却槽３１と、冷却されたペレット材料３３をせん断して粒状のペレット３４を形成するせん断装置３２とを備えている。
【０００３】
上記せん断装置３２は、図８に示すように、外周面に複数の切刃３６が形成された回転自在の回転刃３５と、上記切刃３６との間でペレット材料３３をせん断する固定刃３７とを備えている。そして、上記従来のせん断装置３２では、一般に、切れ味を良くするため、図９に示すように、上記切刃３６を、回転刃３５の軸心に対してらせん状に設けることが行われている。
【０００４】
【発明が解決しようとする課題】
しかしながら、上記せん断装置３２では、切刃３６がらせん状に設けられているため、切刃３６自体をらせん状に形成する必要があり、切刃３６の加工や製造が困難でコストが高く、精度を上げるのも困難であった。また、回転刃３５への切刃３６の取付けは、一般にろう付けによって行われることから、らせん状の台にらせん状の切刃３６をろう付けしなければならず、取付も困難でコストが高く、精度を上げるのが極めて困難であった。そこで、短い切刃を多数準備し、らせん状の台に短い切刃をらせん状になるようにつなぎ合わせて取り付けることも行われているが、取り付け作業が煩雑になってコスト面でそれほど有利にならないだけでなく、精度を上げるのがますます困難になるという問題があった。
【０００５】
本発明は、このような事情に鑑みなされたもので、低コストで精度も高く、しかも切れ味の良いせん断装置の提供を目的とする。
【０００６】
【課題を解決するための手段】
上記目的を達成するため、本発明のせん断装置は、回転自在に軸支された胴部の外周面に軸心方向に延びる切刃が形成された回転刃と、上記回転刃の切刃との間に挿入された被せん断物をせん断する固定刃とを備え、上記回転刃の軸心と固定刃が相対的に傾斜角をもって配設され、上記固定刃の刃先が曲線状に形成されることにより、上記回転刃の切刃と固定刃との長手方向におけるクリアランスを実質的に一定にし、長尺のペレット材料をせん断してペレットを製造するペレット製造機に用いられるものであることを要旨とする。
【０００７】
すなわち、本発明のせん断装置は、回転自在に軸支された胴部の外周面に軸心方向に延びる切刃が形成された回転刃を備えている。このため、従来のようにらせん状の切刃を必要とせず、回転刃は、胴部の外周面に切刃を軸心方向に延びるよう形成したものを用いればよい。そして、切刃の加工や製造が容易になるうえ、取り付けも極めて容易に行うことができる。したがって、コストが大幅に低下し、高精度も確保できる。また、上記固定刃の刃先が曲線状に形成されることにより、回転刃の切刃と固定刃との長手方向におけるクリアランスを実質的に一定にするとともに、上記回転刃の軸心と固定刃が相対的に傾斜角をもって配設されていることから、良好な切れ味も確保できる。また、長尺のペレット材料をせん断してペレットを製造するペレット製造機に用いられるものであるため、低コストで精度も高く、しかも切れ味の良いペレット製造機となる。
【０００８】
本発明のせん断装置において、上記回転刃の切刃が、胴部の軸心と実質的に平行に設けられている場合には、切刃の加工や製造が容易になるうえ、取り付けも極めて容易に行うことができ、コストが大幅に低下し、高精度も確保できる。
【０００９】
本発明のせん断装置において、上記回転刃の切刃が、胴部の略全長にわたって設けられている場合には、切刃の取り付けが極めて容易に行うことができ、コストが大幅に低下し、高精度も確保できる。
【００１１】
【発明の実施の形態】
つぎに、本発明の実施の形態を詳しく説明する。
【００１２】
図１〜図４は、本発明のせん断装置の一実施の形態を示す図である。このせん断装置は、回転自在に軸支された胴部３の外周面に切刃２が形成された回転刃１と、上記回転刃１の切刃２との間に挿入された被せん断物をせん断する固定刃５とを備えている。
【００１３】
上記回転刃１は、円筒状の胴部３が軸４に軸支され、上記胴部３の外周面に、軸心方向に延びる複数（この例では８つ）の切刃２が形成されて構成されている。上記切刃２は、胴部３の軸心と実質的に平行に、かつ、胴部３の全長にわたって設けられている。
【００１４】
一方、上記固定刃５は、上記胴部３よりもやや長い長板状を呈しており、上記切刃２と対向する側に刃先６が形成されている。そして、上記刃先６は、幅方向に凹曲する曲線状に形成されている。
【００１５】
そして、上記せん断装置は、上記回転刃１が水平に配設され、固定刃５が、上記回転刃１の軸心と相対的に傾斜角をもつよう斜めに傾斜させて配設されている。そして、上記固定刃５の刃先６が曲線状に形成されているため、上記回転刃１の切刃２と固定刃５の刃先６との長手方向におけるクリアランスが一定になっている。
【００１６】
上記回転刃１の切刃２は、例えば、超硬合金等から形成されるものを用いることができる。そして、上記切刃２は、例えば、胴部３の外周面にろう付け等により取り付けることができる。このとき、上記回転刃１の切刃２が、胴部３の軸心と実質的に平行に設けられ、胴部３の略全長にわたって設けられているため、切刃２の加工や製造が容易になるうえ、切刃２の取り付けも極めて容易に行うことができ、コストが大幅に低下し、高精度も確保できる。
【００１７】
また、上記固定刃５を製造する場合には、図５に示すように、例えば、上記回転刃１と直径および長さが同一寸法に形成された円筒形の砥石７を準備し、この砥石７を水平に軸支するとともに、固定刃５を回転刃１と対向する位置に取り付けるときと同じ傾斜角度でもって斜めに配設する。そして、この状態で砥石７を回転させて固定刃５の先端を研摩することにより、刃先６を、回転刃１と所定の傾斜角度をもつよう斜めに傾斜させて配設したときに、切刃２の先端と長手方向で一定のクリアランスを保つような曲線状に形成することができる。さらに、上記のようにして研摩した固定刃５の刃先６の逃げ面を、マシニングセンタ等の工作機械により加工することが行われる。なお、上記砥石７の直径や長さは、上述したものに限定するものではなく、短い砥石を往復させながら加工することもできるし、小径の砥石を用いて加工することも可能である。
【００１８】
そして、上記せん断装置は、例えば、長尺のペレット材料をせん断してペレットを製造するペレット製造機に用いることができる（図７参照）。
【００１９】
上記せん断装置では、従来のようにらせん状の切刃を必要とせず、回転刃１は、胴部３の外周面に切刃２を軸心方向に延びるよう形成したものを用いればよいことから、切刃２の加工や製造が容易になるうえ、取り付けも極めて容易に行うことができる。したがって、コストが大幅に低下し、高精度も確保できる。また、上記固定刃５の刃先６が曲線状に形成されることにより、回転刃１の切刃２と固定刃５の刃先６との間のクリアランスが長手方向において一定に保持され、上記回転刃１の軸心と固定刃５とが相対的に傾斜角をもって配設されていることから、良好な切れ味も確保できる。
【００２０】
図６は、本発明の第２の実施の形態を示す。この例では、固定刃５が水平に設けられ、回転刃１が、上記固定刃５に対して所定の傾斜角度になるよう傾斜されて配設されている。それ以外は、上記第１の実施の形態と同様であり、同様の作用効果を奏する。
【００２１】
なお、上記各実施の形態では、本発明のせん断装置をペレット製造機に適用した例を示したが、これに限定するものではなく、長尺状やシート状のものを連続的にせん断する機械装置であれば、どのようなものにも適用することができる。これらの場合でも、同様の作用効果を奏する。
【００２２】
【発明の効果】
以上のように、本発明のせん断装置によれば、回転自在に軸支された胴部の外周面に軸心方向に延びる切刃が形成された回転刃を備えている。このため、従来のようにらせん状の切刃を必要とせず、回転刃は、胴部の外周面に切刃を軸心方向に延びるよう形成したものを用いればよい。そして、切刃の加工や製造が容易になるうえ、取り付けも極めて容易に行うことができる。したがって、コストが大幅に低下し、高精度も確保できる。また、上記固定刃の刃先が曲線状に形成されることにより、回転刃の切刃と固定刃との長手方向におけるクリアランスを略一定にするとともに、上記回転刃の軸心と固定刃が相対的に傾斜角をもって配設されていることから、良好な切れ味も確保できる。また、長尺のペレット材料をせん断してペレットを製造するペレット製造機に用いられるものであるため、低コストで精度も高く、しかも切れ味の良いペレット製造機となる。
【図面の簡単な説明】
【図１】本発明の一実施の形態のせん断装置に用いる回転刃を示す斜視図である。
【図２】上記せん断装置に用いる固定刃を示す図であり、（ａ）は側面図、（ｂ）は平面図である。
【図３】上記せん断装置を示す説明図である。
【図４】上記せん断装置の作用を示す説明図である。
【図５】上記固定刃の製造工程を示す説明図である。
【図６】本発明の第２の実施の形態のせん断装置を示す説明図である。
【図７】従来のペレット製造機を示す構成説明図である。
【図８】上記ペレット製造機の要部を示す説明図である。
【図９】上記ペレット製造機に用いる回転刃を示す説明図である。
【符号の説明】
１  固定刃
２  切刃
３  胴部
５  固定刃
【図１】
0003698942.tif 000002
【図２】
0003698942.tif 000003
【図３】
0003698942.tif 000004
【図４】
0003698942.tif 000005
【図５】
0003698942.tif 000006
【図６】
0003698942.tif 000007
【図７】
0003698942.tif 000008
【図８】
0003698942.tif 000009
【図９】
0003698942.tif 000010